(57)【要約】      （修正有）【課題】家庭向け防災用品や、雛人形又は五月人形のいずれかを含む屋内収納品の預かりシステムを提供する。【解決手段】居住可能な建屋内における、家庭向け防災用品、雛人形及び五月人形のいずれかを含む屋内収納品の預かりシステムであって、預かり品の前記建屋内への入出庫状況を管理する第一機能処理部２と、前記入庫した預かり品を出庫するまでの該預かり品の保管状況を管理する第二機能処理部３と、前記入庫した預かり品を出庫するまでの該預かり品に対する保険の適用状況を管理する第三機能処理部４と、定期的に又は所定の情報に基づいて、前記第一〜第三機能処理部のうちの少なくとも１つの管理情報を、預かり品リストとして出力する出力部１２とを備えている。【選択図】図１
2019105875.tif 000002
【特許請求の範囲】
【請求項１】
居住可能な建屋内における、家庭向け防災用品、雛人形及び五月人形のいずれかを含む屋内収納品の預かりシステムであって、
預かり品の前記建屋内への入出庫状況を管理する第一のコンピュータと、
前記入庫した預かり品を出庫するまでの該預かり品の保管状況を管理する第二のコンピュータと、
前記入庫した預かり品を出庫するまでの該預かり品に対する保険の適用状況を管理する第三のコンピュータと
の少なくとも１つを備えたことを特徴とする屋内収納品の預かりシステム。
【請求項２】
定期的に又は所定の情報に基づいて、前記第一〜第三のコンピュータの少なくとも１つの管理情報を、預かり品リストとして出力するプリンタを備えたことを特徴とする請求項１記載の屋内収納品の預かりシステム。
【請求項３】
前記建屋は、海抜約６０ｍよりも高い位置にあることを特徴とする請求項１又は２記載の屋内収納品の預かりシステム。
【請求項４】
前記建屋は、ベタ基礎上に防振材を挟み込んだ状態で床材が載置され、前記ベタ基礎の周囲を立ち上げるとともに、該立ち上がり部内に前記防振材を延長して挟み込んだ状態で床材の周囲が当接するように構成されたことを特徴とする請求項１〜３のいずれか１項に記載の屋内収納品の預かりシステム。
【請求項５】
前記建屋外からエアフィルタを介して吸引された空気を、該建屋内に加圧状態で供給する給気システムと、前記供給された空気を、該空気の逆流時に供給時よりもライン抵抗を大きくするボルテックスダイオードを介して前記建屋外に排出する排気システムとを備えたことを特徴とする請求項１〜４のいずれか１項に記載の屋内収納品の預かりシステム。
【発明の詳細な説明】
【技術分野】
【０００１】
本発明は、屋内収納品の預かりシステムに関し、例えば飲料水、非常食などの家庭向け防災用品や、家庭内で普段は使用されていない雛人形、五月人形などのいわゆる季節ものなどの屋内収納品に好適である。
【背景技術】
【０００２】
忘れた頃にやってくる災害に備えて、１週間分の水や食料を買い置きしている家庭がある。
【０００３】
その分量は、大人二人あたりで２リットル入りの飲料水ボトルで２１本程度であり、その他米、乾パン、缶詰などの非常食を入れた箱を用意しておく必要がある、といわれている（例えば非特許文献１参照）。
【発明の概要】
【発明が解決しようとする課題】
【０００４】
しかし、１週間分の水や食料を準備はしたものの、その置き場所に困っている方が少なからずある。そうかといって、そもそも人間が口にする水や食料を屋外（およそ居住には適さない物置、ロッカ、コンテナ、廃屋など屋外に準じるものを含む。以下同じ。）に放置するには衛生上などの問題があり、通常は屋内（現に居住している自宅の押入、天袋、納戸、蔵など屋内に準じるものを含む。以下同じ。）に収納したいものである。また、置き場所はあっても、その場所のある自宅などが低地にあるため、津波で避難を余儀なくされる場合もある。
【０００５】
また、家庭内で普段は使用されていない雛人形、五月人形などについても、その置き場所に困っている方が少なからずある。そうかといって、そもそも屋内に飾る雛人形、五月人形を屋外に放置するには汚れや害虫やカビ発生などの問題があり、これも通常は屋内に収納したいものである。
【０００６】
本発明は、このような事情に鑑みてなされたもので、１週間分の水や食料などの家庭向け防災用品や雛人形、五月人形などの季節ものなどの屋内収納品の預かりシステムを提供することを目的とする。
【課題を解決するための手段】
【０００７】
本発明は、居住可能な建屋内における、家庭向け防災用品、雛人形及び五月人形のいずれかを含む屋内収納品の預かりシステムであって、預かり品の前記建屋内への入出庫状況を管理する第一のコンピュータと、前記入庫した預かり品を出庫するまでの該預かり品の保管状況を管理する第二のコンピュータと、前記入庫した預かり品を出庫するまでの該預かり品に対する保険の適用状況を管理する第三のコンピュータとの少なくとも１つを備えたことを特徴とするものである。
【０００８】
本発明によれば、居住可能な建屋内における、家庭向け防災用品、雛人形及び五月人形のいずれかを含む屋内収納品の預かりシステムであるから、とかく衛生上の問題や、汚れや害虫やカビ発生の問題がある屋外放置などを除外している。
【０００９】
また、預かり品の前記建屋内への入出庫状況を管理する第一のコンピュータと、前記入庫した預かり品を出庫するまでの該預かり品の保管状況を管理する第二のコンピュータと、前記入庫した預かり品を出庫するまでの該預かり品に対する保険の適用状況を管理する第三のコンピュータとの少なくとも１つを備えたので、預かり品の入出庫管理や在庫管理などが確実に行えるとともに、その預かり品の損壊や紛失などにも対応できる。
【００１０】
請求項２記載の発明のように、定期的に又は所定の情報に基づいて、前記第一〜第三のコンピュータの少なくとも１つの管理情報を、預かり品リストとして出力するプリンタを備えることが好ましい。所定の情報には、緊急地震速報、Ｊアラートなどを含む。
【００１１】
請求項２記載の発明によれば、定期的に又は所定の情報に基づいて、前記第一〜第三のコンピュータの少なくとも１つの管理情報を、預かり品リストとして出力するプリンタを備えたので、例えば通常時は定期的に、非常時は所定の情報に基づいて預かり品を引き取りに来た所有者などへの返却を、間違いなく、かつ、迅速に行うことができる。
【００１２】
ここで、災害としては大津波が想定される。そこで、請求項３記載の発明のように、前記建屋は、海抜約６０ｍよりも高い位置にあることが好ましい。
【００１３】
請求項３記載の発明のように、前記建屋は、海抜約６０ｍよりも高い位置にあるので、大津波の影響が少ない。その結果、家庭向け防災用品としての１週間分の水や食料の置き場所を提供し、安心してご利用いただくことができる。
【００１４】
また、災害としては大地震が想定される。そこで、請求項４記載の発明のように、前記建屋は、ベタ基礎上に防振材を挟み込んだ状態で床材が載置され、前記ベタ基礎の周囲を立ち上げるとともに、該立ち上がり部内に前記防振材を延長して挟み込んだ状態で床材の周囲が当接するように構成されることが好ましい。
【００１５】
請求項４記載の発明によれば、前記建屋は、ベタ基礎上に防振材を挟み込んだ状態で床材が載置され、前記ベタ基礎の周囲を立ち上げるとともに、該立ち上がり部内に前記防振材を延長して挟み込んだ状態で床材の周囲が当接するように構成されたので、大地震の横波と縦波とのいずれにも耐えることができる。
【００１６】
さらに、原子力災害やミサイル攻撃などによる大気汚染も想定される。そこで、請求項５記載の発明のように、前記建屋外からエアフィルタを介して吸引された空気を、該建屋内に加圧状態で供給する給気システムと、前記供給された空気を、該空気の逆流時に供給時よりもライン抵抗を大きくするボルテックスダイオードを介して前記建屋外に排出する排気システムとを備えることが好ましい。ただし、ミサイルは迎撃によりその直撃を免れることが前提となる。
【００１７】
請求項５記載の発明によれば、前記建屋外からエアフィルタを介して吸引された空気を、該建屋内に加圧状態で供給する給気システムと、前記供給された空気を、該空気の逆流時に供給時よりもライン抵抗を大きくするボルテックスダイオードを介して前記建屋外に排出する排気システムとを備えたので、原子力災害やミサイル攻撃などによる大気汚染にも対応できる。
【発明の効果】
【００１８】
本発明によれば、居住可能な建屋内における、家庭向け防災用品、雛人形及び五月人形のいずれかを含む屋内収納品の預かりシステムであるから、とかく衛生上の問題や、汚れや害虫やカビ発生の問題がある屋外放置などを除外している。
【００１９】
また、預かり品の前記建屋内への入出庫状況を管理する第一のコンピュータと、前記入庫した預かり品を出庫するまでの該預かり品の保管状況を管理する第二のコンピュータと、前記入庫した預かり品を出庫するまでの該預かり品に対する保険の適用状況を管理する第三のコンピュータとの少なくとも１つを備えたので、預かり品の入出庫管理や在庫管理などが確実に行えるとともに、その預かり品の損壊や紛失などにも対応できる。
【図面の簡単な説明】
【００２０】
【図１】本発明の実施形態１に係る家庭向け防災用品の預かりシステムの概要を示すブロック図である。
【図２】本実施形態１に係る家庭向け防災用品の預かり状態を示すフロー図である。
【図３】本実施形態１に係る家庭向け防災用品の預かり状態を示す例図である。
【図４】本発明の実施形態２に係る家庭向け防災用品の預かりシステムの建屋を示す全体構成図である。
【図５】本実施形態２に係るボルテックスダイオードの概念を示す斜視図
【発明を実施するための形態】
【００２１】
（実施形態１）
図１は本発明の実施形態１に係る家庭向け防災用品の預かりシステム１の概要を示すブロック図であって、（ａ）はインターネットで複数のコンピュータを接続したものであり、（ｂ）は個別のコンピュータの構成を示したものである。図３はその家庭向け防災用品の預かり状態を示す例図である。
【００２２】
図３に示すように、本実施形態１に係る家庭向け防災用品（屋内収納品の一例である。）の預かり状態では、それぞれ１週間分の水や食料を箱体に入れた預かり品Ａ〜Ｄを、各区画に保管している。預かり品Ａ〜Ｄは、いずれも互いに干渉しないような間隔でもって、図示しないラックやロッカなどに設置されており、それぞれ簡単に出し入れができるようになっている。
【００２３】
保管場所は、大津波が到達されうるとされる海抜約６０ｍを超える高台に位置している建屋内にあって、阪神大震災のときには、多くの仮設住宅が建てられていたところの隣接地域にあるので、大津波により預かり品が流失するおそれがなくなる。また、建屋自体が火災保険などに加入していることはあるものの、念のため預かり品の所有者が個別に火災、地震、盗難保険などを掛けていることが好ましい。
【００２４】
さらに具体的にいえば、預かり品Ａ〜Ｄには、大人二人あたりで２リットル入りの飲料水ボトルで２１本程度と、その他米、乾パン、缶詰などの非常食が入っているものとする。預かり品の所有者の認識情報、預かり品の数量、内容、消費期限、保管期限などの明細は、各箱体の前面に取り付けたラベルに明記されており、その出し入れは預けられた者（預かり品の管理者）が行うことで、誤って他人の箱体をさわらないことが好ましい。ラベルは、後述する出力部１２のプリンタによって出力したハードコピーなどであり、定期的に最新のものに書き換えられ、あるいは、差し替えられるようになっている。
【００２５】
図１（ａ）（ｂ）に示すように、このシステム１は、基本的には、コンピュータ１０を用いて家庭向け防災用品を預かるためのシステムであって、コンピュータ１０は、キーボードやマウスなどの入力部１１と、プリンタや液晶画面などの出力部１２と、ＲＡＭ（ＲＡＮＤＯＭ  ＡＣＣＥＳＳ  ＭＥＭＯＲＹ）やＲＯＭ（ＲＥＡＤ  ＯＮＬＹ  ＭＥＭＯＲＹ）などの記憶部１３と、ＣＰＵ（ＣＥＮＴＯＲＡＬ  ＰＲＯＣＥＳＳＩＮＧ  ＵＮＩＴ）１４と、インターネット５に接続するためのインターフェイス１５とを備えている。したがって、インターネット５を介して、複数のコンピュータ１０，１０，・・・間での情報交換などを行うことができるようになっている。これにより、リスクヘッジの観点から、預かり品を分散配置して、異なる場所でそれぞれコンピュータ管理を行う場合などに、便利である。
【００２６】
そして、コンピュータ１０は、通常時に、家庭向け防災用品を預かるための管理を行うものである。出力部１２は、定期的に、預かった家庭向け防災用品である預かり品を返却するための預かり品リストを出力するとともに、非常時にコンピュータ１０が停止する前に、例えば入力部１１から入力された所定の情報としての緊急地震速報やＪアラートなどに基づいて、預かり品を返却するための預かり品リストを出力するものである。
【００２７】
表１は預かり品リストの出力イメージである。
【表１】
2019105875.tif 000003
表１に示す預かり品リストのイメージでは、ＳＰ  Ｎｏ．、お客様、食糧、飲料、その他、、備考の各記載欄があって、その記載によれば、例えばスペース番号ＳＰ  Ｎｏ．１には、ＡＢが所有する乾パンとペットボトルとが保管されている。また、スペース番号ＳＰ  Ｎｏ．２には、ＣＤが所有する無洗米が保管されている。これにより、コンピュータ１０の停止後においても、預かり品を引き取りにきた所有者などへの返却を、間違いなく、かつ、迅速に行うことができるようになっている。
【００２８】
記憶部１３は、預かり品の各種管理を具現化するための実行形式のプログラムと、例えば入力部１１で予め入力した預かり品の所有者の氏名や住所などの認証情報、預かり品の数量、内容、消費期限、保管期限などの商品情報、預かり場所、在庫量リミットなどの在庫情報、保険適用情報、預かり実績情報などの各種情報を記憶するものである。預かり実績は、過去の預かり実績を、主成分分析やクラスター分析等の多変量解析手法により処理したものである。
【００２９】
ＣＰＵ１４は、記憶部１３に記憶する前記実行形式のプログラムと各種情報とを読み込んで所定の演算を行うことにより、預かり品の入出庫状況を管理して前記記憶部１３に記憶する第一機能処理部（第一のコンピュータに相当する。）２と、入庫した預かり品を出庫するまでの該預かり品の保管状況を管理して前記記憶部１３に記憶する第二機能処理部（第二のコンピュータに相当する。）３と、入庫した預かり品を出庫するまでの該預かり品に対する保険の適用状況を管理して前記記憶部１３に記憶する第三機能処理部（第三のコンピュータに相当する。）４などの各種管理を具現化するものである。
【００３０】
第一機能処理部２は、予め入力された預かり品の入庫量と出庫量とから在庫量を演算する在庫量演算部２１と、この演算された預かり品の在庫量を前記記憶部１３に記憶するとともに、この在庫量に基づいて該預かり品の保管スペースの有無を判断する第一の判断部２２と、第一の判断部２２により預かり品の保管スペースがあると判断したときには、該預かり品を入出庫するための証明書を発行する一方、第一の判断部２２により預かり品の保管場所の空きスペースがないと判断したときには、該預かり品を保管できない旨を連絡する第一の連絡部２３とを備えている。この連絡は、例えば出力部１２の出力によるが、場合によっては、Ｅメールや架電やファクシミリなどを利用してもよい（以下同様である）。
【００３１】
第二機能処理部３は、予め入力された預かり品の消費期限及び保管期限情報を前記記憶部１３に記憶するとともに、この消費期限及び保管期限情報に基づいて該預かり品が消費期限と保管期限とのいずれか短い方の期限内にあるか否かを判断する第二の判断部３１と、第二の判断部３１により預かり品が消費期限及び保管期限内であると判断したときには、該預かり品の所有者への定期的な連絡を行う一方、第二の判断部３１により預かり品の消費期限又は保管期限が迫っていると判断した時には、該預かり品を預けた者への引き取り、交換、又は、消費期限内での保存期間の延長などを促す旨の連絡を行う第二の連絡部３２とを備えている。
【００３２】
第三機能処理部（第三の管理手段に相当する。）４は、予め入力された預かり品の保険適用情報を前記記憶部１３に記憶するとともに、この保険適用情報に基づいて該預かり品の保険適用の有無を判断する第三の判断部４１と、第三の判断部４１により預かり品が保険適用ありと判断したときには、該預かり品の所有者への定期的な連絡を行う一方、第三の判断部４１により預かり品が保険適用なしと判断したときには、該預かり品の所有者への保険適用を促す旨の連絡を行う第三の連絡部４２を備えている。
【００３３】
以下、このシステム１の概略動作を示す。図２は本実施形態に係る家庭向け防災用品の預かり状態を示すフロー図である。
【００３４】
図２に示すように、コンピュータ１０は、各種初期設定をする（ステップＳ２）。ここでは、記憶部１３に記憶する前記実行形式のプログラムと各種情報とを読み込んで、ＣＰＵ１４で各種演算を行うことにより、以下のように、各機能処理部を順次に実行する。
【００３５】
まず、第一機能処理部２を実行する（ステップＳ２）。ここでは、在庫量演算部２１で、予め入力された預かり品の入庫量と出庫量とから在庫量を演算する。第一の判断部２２で、この演算された預かり品の在庫量に基づいて該預かり品の保管スペースの有無を判断する。第一の連絡部２３で、第一の判断部２２により預かり品の保管場所の空きスペースがあると判断したときには、該預かり品を入出庫するための証明書を発行する一方、第一の判断部２２により預かり品の保管場所の空きスペースがないと判断したときには、該預かり品を保管できない旨を連絡する。これにより、確実な入出庫管理ができる。
【００３６】
ついで、第二機能処理部３を実行する（ステップＳ３）。ここでは、第二の判断部３１で、予め入力された預かり品の消費期限情報及び保管期限情報に基づいて該預かり品が消費期限内と保管期限内のいずれか短い期限内となっているか否かを判断する。第二の連絡部３２で、第二の判断部３１により預かり品が消費期限内及び保管期限内であると判断したときには、該預かり品の所有者への定期的な連絡を行う一方、預かり品の消費期限又は保管期限が迫っていると判断した時には、該預かり品の所有者への引き取り、交換、消費期限内での保管延長などを促す旨の連絡を行う。これにより、確実な在庫管理ができる。
【００３７】
ついで、第三機能処理部４を実行する（ステップＳ４）。ここでは、第三の判断部４１で、予め入力された預かり品の保険適用情報に基づいて該預かり品の保険適用の有無を判断する。第三の連絡部４２で、第三の判断部４１により預かり品が保険適用ありと判断したときには、該預かり品の所有者への定期的な連絡を行う一方、第三の判断部４１により預かり品が保険適用なしと判断したときには、該預かり品の所有者への保険適用を促す旨の連絡を行う。これにより、預かり品の損壊や紛失などにも対応できる。
【００３８】
以上説明したように、本実施形態１によれば、居住可能な建屋５０内における、家庭向け防災用品の預かりシステム１であるから、とかく衛生上の問題や、害虫やカビ発生の問題がある屋外放置などを除外している。ただし、かかる問題の少ない、例えばきわめて短期間の預かりにすぎない場合などは、建屋５０の敷地内であってもよい。
【００３９】
また、預かり品の建屋５０内への入出庫状況を管理する第一機能処理部２と、前記入庫した預かり品を出庫するまでの該預かり品の保管状況を管理する第二機能処理部３と、前記入庫した預かり品を出庫するまでの該預かり品に対する保険の適用状況を管理する第三機能処理部４などを備えたので、預かり品の入出庫管理や在庫管理などが確実に行えるとともに、その預かり品の損壊や紛失などにも対応できる。
【００４０】
また、建屋５０は、海抜約６０ｍよりも高い位置にあるので、大津波の影響が少ない。その結果、家庭向け防災用品としての１週間分の水や食料の置き場所を提供し、安心してご利用いただくことができる。
【００４１】
（実施形態２）
本発明の実施形態２は、大津波以外の災害にも対応するように開発されたものであり、以下説明する。図４は本実施形態２に係る家庭向け防災用品の預かりシステム１の建屋５０の構成図、図５はボルテックスダイオードの概念を示す斜視図である。
【００４２】
図４に示すように、本実施形態２に係る家庭向け防災用品（屋内収納品の一例である。）の預かりシステム１は、まず大地震に耐えることが好ましい。そのために、預かりシステム１の建屋５０は、ベタ基礎５１と、このベタ基礎５１上に防振材５２を挟み込んだ状態で床材５３が載置され、前記ベタ基礎５１の周囲を立ち上げるとともに、該立ち上がり部内に前記防振材５２を延長して挟み込んだ状態で床材５３の周囲が当接するように構成されている。符号５４は壁、５５は天井、５６は屋根、Ｇは地面である。これにより、地震時の横揺れと縦揺れとの両方に対応できるようになっている。
【００４３】
また、建屋５０は、原子力災害やミサイル攻撃などによる大気汚染（主として放射性物質による大気汚染）にも対応できることが好ましい。そのために、建屋５０外からエアフィルタ（好ましくは原子力施設で使用される高性能フィルタ）６１を介して吸引された空気を、給気ライン６４を通じて、預かりシステム１のコンピュータ１０と預かり品７０とを収容する部屋６５内に加圧状態で供給するブロア６２と、この部屋６５内に加圧状態で供給された空気の一部を、ブロア６２の吸引側に戻すリターンライン６３、部屋６５内に加圧状態で供給された空気の残部を、この部屋６５外に排出するエアロック６６とを備えるとともに、このエアロック６６からの空気の排気ライン６８に、空気の逆流時に供給時よりもライン抵抗を大きくするボルテックスダイオード６７を備えている。
【００４４】
ここで、建屋５０は気密性があり、エアフィルタ６１と、ブロア６２と、リターンライン６３と、給気ライン６４とで給気システムを構成しており、エアロック６６と、ボルテックスダイオード６７と、排気ライン６８とで排気システムを構成している。
【００４５】
リターンライン６３は、建屋５０の部屋６５内に現に人間がいるか、或いは、人間がいないかによって、要求風量が大きく変動することに鑑みて、このリターンライン６３中に介装された絞り機構（不図示。）などの動作により、ブロア６２のサージング現象を防止し、空気を安定供給させるためのものである。
【００４６】
ボルテックスダイオード６７は、流体素子の一種であるが、その構成要素としては、図５に示すように、円筒形の本体６７１と、本体６７１の側面において中心軸方向に接続された入口ノズル６７２と、本体６７１の周面において接線方向に接続された出口ノズル６７３と、を備えている。
【００４７】
このボルテックスダイオード６７では、図５中のＡ→Ｂで示すように、本体６７１の側面の中心軸方向に接続された入口ノズル６７２から空気が流入すると、渦はほとんど形成されずに、小さな形状抵抗が生じるだけである。その逆に、図５中のＢ→Ａで示すように、円筒形の本体６７１の周面における接線方向に接続された出口ノズル６７３から空気が流入すると、渦が確実に形成され、それによる遠心力が作用して、中心の圧力が低下するので、大きな抵抗を生じる。このように、ボルテックスダイオード６７は、その一方から流体が流入すると抵抗が小さくなり、他方から流体が流入すると抵抗が大きくなるので、いわば電気系におけるダイオードに類似した機能を果たすものである。
【００４８】
ところで、建屋５０内に人間がいない場合には、そのスペース番号ＳＰ  Ｎｏ．１には、ＡＢが所有する乾パンとペットボトルとが保管され、ＳＰ  Ｎｏ．２には、ＣＤが所有する無洗米が保管され、・・・というように家庭向け防災用品のみが保管されているから、給排気システムの動作は不要とも考えられるが誤りである。すなわち、給排気システムが動作していないとすると、通常時であっても夏場には高温多湿の悪環境となるおそれがあり、また非常時には原子力災害やミサイル攻撃などによる汚染大気が建屋の隙間から屋内に流入してくるおそれがあるため、仮に屋内に人間がいなくても、給排気システムの動作は必要となる。以下、説明する。
【００４９】
まず図４において、ブロア６２を起動すると、屋外の空気がエアフィルタ６１と給気ライン６４を介して屋内に供給されるとともに、一部がリターンライン６３を介して、ブロア６２とエアフィルタ６１との間に戻される。ブロア６２の安定運転を確保するためである。そして、屋内からエアロック６６に排出される空気が、さらにボルテックスダイオード６７と排気ライン６８とを介して屋外に排出されるが、このボルテックスダイオード６７の働きにより、たとえ電源喪失時にあっても空気の逆流を防ぐことができる。図４中の矢印は、このときの空気の流れを示す。
【００５０】
以上説明したように、本実施形態２の屋内収納品の預かりシステム１の建屋５０では、建屋５０と、その給排気システムとを装備しているので、大地震、原子力災害やミサイル攻撃による大気汚染の影響が少なくなり、家庭向け防災用品としての１週間分の水や食料の置き場所を提供し、さらに安心してご利用いただくことができる。
【００５１】
なお、上記実施形態１では、コンピュータ１０が、第一機能処理部２と、第二機能処理部３と、第三機能処理部４とを備えたシステム１を例示しているが、場合によっては、第三機能処理部４を省略してもよい。その逆に、いずれ図示していないが、現時点での預かり品の受け入れ可否を判断して、インターネット上に提示する第四機能処理部や、預かり品の最大量を受け入れて低価格化を優先する効率優先モードと、預かり品のアクセスを優先するアクセス優先モードとを択一又は折衷にて採用可能な第伍機能処理部や、利用料金の計算や請求書の発行等を行う第六機能処理部などを追加してもよい。場合によっては、各機能処理部の管理等に代えて、その一部または全部を人間の管理等に委ねてもよい。
【００５２】
また、上記実施形態１では、家庭向け防災用品として、１週間分の水と食品とを例示したが、家族構成などによっては、それよりも短期間または長期間、あるいは少量または多量の預け入れであってもよいし、その他の品目を含めて預けることとしてもよい。
【００５３】
また、上記実施形態１では、非常時には、電気、ガス、水道などのインフラがほとんど使用できないことがありうるから、システム１のコンピュータ１０などへの電源確保のために、このシステム１を、図示しない太陽光パネル、蓄電池、発電機その他の非常用電源などに接続しておくことが好ましい。ただし、大地震によるコンピュータ１０の故障や非常用電源の断線などもありうるから、上述したように、非常時でのコンピュータ１０への過信は禁物である。
【００５４】
また、上記実施形態１では、システム１は、大津波が到達しうるとされる海抜約６０ｍを超える高台に設置するのが好ましいが、かかる高さは将来変動する可能性があるから、あくまで目安にすぎない。したがって、少なくとも防災用品を預けた者の住所などの高さよりも高台であればよく、通常時には、預かり品の引き取りや交換などのために、比較的行き来が容易な場所である、都市郊外などにあることが好ましい。
【００５５】
また、上記実施形態１では、預かり品の所有者が該預かり品の持ち込み、引き取り、交換などをしており、システム１からの通知も、その所有者が対象となっているが、身元を証明さえできれば、その家族などの関係者であってもよい。
【００５６】
また、上記実施形態１では、屋内収納品の一例として、家庭向け防災用品を説明しているが、雛人形や五月人形などのいわゆる季節ものであってもよい。その場合は、必ずしも防災を第一目的とする必要はないから、その預かりシステム１は普通の建屋内に構成してもよい。ただし、通常の換気や防犯対策や防火対策などは必要と考える。上記実施形態２についても同様であるが、所定の情報としては、所有者などの事情による任意の情報などが考えられる。
【００５７】
また、上記実施形態２では、既述の表１に示す預かり品リストのイメージとして、例えばスペース番号ＳＰ  Ｎｏ．３，４には、ＥＦが所有する雛人形（１／２）（２／２）がそれぞれ保管されている。これは、人形は比較的軽くかつ空気の流通がある上段付近に保管するのが好ましいのに対して、雛壇は比較的重くかつ空気の流通がなくてもかまわない下段付近に保管することでよいことから、保管効率を優先したものである。ただし、アクセスを優先してもよいのは上述した通りである。いずれにせよ、預かり品を引き取りにきた所有者などへの返却を、間違いなく、かつ、できるだけ迅速に行うことができるようになっている。
【００５８】
また、上記実施形態２では、木造の建屋５０を例示しているが、この建屋５０は非常持に加圧状態とされるので、例えば多重壁、多重天井、多重窓、多重扉などにより補強するとともに、それらの接続部位のシールなどにより気密性を高めておくことが好ましい。そのような建屋は防音効果も期待できるので、普段は防音室や音楽室としても使用できる。ただし、ミサイル攻撃まで考慮すると、できればコンクリート製の建屋で同等以上の構成とすることが好ましい。
【００５９】
また、上記実施形態２では、ボルテックスダイオード６７を排気ライン６８だけに設けているが、さらに給気ライン６４などの適宜箇所に設けてもよい。また、各要素の適宜箇所には止め弁などを設けて、非常時に備えて、事前のメンテナンスを可能としておくことが好ましい。
【符号の説明】
【００６０】
１  屋内収納品（家庭向け防災用品や季節ものなど）の預かりシステム
１０  コンピュータ
１１  入力部
１２  出力部（プリンタを含む。）
１３  記憶部
１４  ＣＰＵ
１５  インターフェイス
２  第一機能処理部（第一のコンピュータに相当する。）
３  第二機能処理部（第二のコンピュータに相当する。）
４  第三機能処理部（第三のコンピュータに相当する。）
５  インターネット
５０  建屋
５１  ベタ基礎
５２  防振材
５３  床材
６１  エアフィルタ（給気システムの一部に相当する。）
６２  ブロア（給気システムの一部に相当する。）
６３  リターンライン（給気システムの一部に相当する。）
６４  給気ライン（給気システムの一部に相当する。）
６６  エアロック（排気システムの一部に相当する。）
６７  ボルテックスダイオード（排気システムの一部に相当する。）
６８  排気ライン（排気システムの一部に相当する。）
７０  預かり品
【先行技術文献】
【特許文献】
【００６１】
【非特許文献１】ｈｔｔｐ：／／ｗｗｗ．ｂｅｔｔｅｒｈｏｍｅ．ｊｐ／ｉｎｆｏ／３７７１，２０１６／１０／２２「１週間分の食料備蓄例を考えました〜巨大地震に備えて家庭でできる防災対策」
【図１】
2019105875.tif 000004
【図２】
2019105875.tif 000005
【図３】
2019105875.tif 000006
【図４】
2019105875.tif 000007
【図５】
2019105875.tif 000008
【手続補正書】
【提出日】平成30年3月12日(2018.3.12)
【手続補正１】
【補正対象書類名】特許請求の範囲
【補正対象項目名】請求項１
【補正方法】変更
【補正の内容】
【請求項１】
居住可能な建屋内における収納品の預かりシステムであって、
預かり品の前記建屋内への入出庫状況を管理する第一のコンピュータと、
前記入庫した預かり品を出庫するまでの該預かり品の保管状況を管理する第二のコンピュータと、
前記入庫した預かり品を出庫するまでの該預かり品に対する保険の適用状況を管理する第三のコンピュータと
を備えたことを特徴とする屋内収納品の預かりシステム。
【手続補正２】
【補正対象書類名】明細書
【補正対象項目名】０００７
【補正方法】変更
【補正の内容】
【０００７】
本発明は、居住可能な建屋内における収納品の預かりシステムであって、預かり品の前記建屋内への入出庫状況を管理する第一のコンピュータと、前記入庫した預かり品を出庫するまでの該預かり品の保管状況を管理する第二のコンピュータと、前記入庫した預かり品を出庫するまでの該預かり品に対する保険の適用状況を管理する第三のコンピュータとを備えたことを特徴とするものである。
【手続補正３】
【補正対象書類名】明細書
【補正対象項目名】０００８
【補正方法】変更
【補正の内容】
【０００８】
本発明によれば、居住可能な建屋内における収納品の預かりシステムであるから、とかく衛生上の問題や、汚れや害虫やカビ発生の問題がある屋外放置などを除外している。
【手続補正４】
【補正対象書類名】明細書
【補正対象項目名】０００９
【補正方法】変更
【補正の内容】
【０００９】
また、預かり品の前記建屋内への入出庫状況を管理する第一のコンピュータと、前記入庫した預かり品を出庫するまでの該預かり品の保管状況を管理する第二のコンピュータと、前記入庫した預かり品を出庫するまでの該預かり品に対する保険の適用状況を管理する第三のコンピュータとを備えたので、預かり品の入出庫管理や在庫管理などが確実に行えるとともに、その預かり品の損壊や紛失などにも対応できる。
【手続補正５】
【補正対象書類名】明細書
【補正対象項目名】００１３
【補正方法】変更
【補正の内容】
【００１３】
請求項３記載の発明によれば、前記建屋は、海抜約６０ｍよりも高い位置にあるので、大津波の影響が少ない。その結果、家庭向け防災用品としての１週間分の水や食料の置き場所を提供し、安心してご利用いただくことができる。
【手続補正６】
【補正対象書類名】明細書
【補正対象項目名】００１８
【補正方法】変更
【補正の内容】
【００１８】
本発明によれば、居住可能な建屋内における収納品の預かりシステムであるから、とかく衛生上の問題や、汚れや害虫やカビ発生の問題がある屋外放置などを除外している。
【手続補正７】
【補正対象書類名】明細書
【補正対象項目名】００１９
【補正方法】変更
【補正の内容】
【００１９】
また、預かり品の前記建屋内への入出庫状況を管理する第一のコンピュータと、前記入庫した預かり品を出庫するまでの該預かり品の保管状況を管理する第二のコンピュータと、前記入庫した預かり品を出庫するまでの該預かり品に対する保険の適用状況を管理する第三のコンピュータとを備えたので、預かり品の入出庫管理や在庫管理などが確実に行えるとともに、その預かり品の損壊や紛失などにも対応できる。
【手続補正８】
【補正対象書類名】明細書
【補正対象項目名】００２５
【補正方法】変更
【補正の内容】
【００２５】
図１（ａ）（ｂ）に示すように、このシステム１は、基本的には、コンピュータ１０を用いて家庭向け防災用品を預かるためのシステムであって、コンピュータ１０は、キーボードやマウスなどの入力部１１と、プリンタや液晶画面などの出力部１２と、ＲＡＭ（ＲＡＮＤＯＭ  ＡＣＣＥＳＳ  ＭＥＭＯＲＹ）やＲＯＭ（ＲＥＡＤ  ＯＮＬＹ  ＭＥＭＯＲＹ）などの記憶部１３と、ＣＰＵ（ＣＥＮＴＲＡＬ  ＰＲＯＣＥＳＳＩＮＧ  ＵＮＩＴ）１４と、インターネット５に接続するためのインターフェイス１５とを備えている。したがって、インターネット５を介して、複数のコンピュータ１０，１０，・・・間での情報交換などを行うことができるようになっている。これにより、リスクヘッジの観点から、預かり品を分散配置して、異なる場所でそれぞれコンピュータ管理を行う場合などに、便利である。
【手続補正９】
【補正対象書類名】明細書
【補正対象項目名】００５１
【補正方法】変更
【補正の内容】
【００５１】
なお、上記実施形態１では、コンピュータ１０が、第一機能処理部２と、第二機能処理部３と、第三機能処理部４とを備えたシステム１を例示しているが、場合によっては、第三機能処理部４を省略してもよい。その逆に、いずれも図示していないが、現時点での預かり品の受け入れ可否を判断して、インターネット５上に提示する第四機能処理部や、預かり品の最大量を受け入れて低価格化を優先する効率優先モードと、預かり品のアクセスを優先するアクセス優先モードとを択一又は折衷にて採用可能な第五機能処理部や、利用料金の計算や請求書の発行等を行う第六機能処理部などを追加してもよい。場合によっては、各機能処理部の管理等に代えて、その一部または全部を人間の管理等に委ねてもよい。
【手続補正書】
【提出日】平成30年7月28日(2018.7.28)
【手続補正１】
【補正対象書類名】特許請求の範囲
【補正対象項目名】請求項１
【補正方法】変更
【補正の内容】
【請求項１】
居住可能な建屋における屋内収納品の預かりシステムであって、
前記建屋外からエアフィルタを介して吸引された空気を該建屋内に供給する給気システムと、前記供給された空気を前記建屋外に排出する排気システムと、少なくとも前記排気システムに介装されえて前記空気の逆流時に順流時よりもライン抵抗を大きくするボルテックスダイオードとを備えるとともに、
前記建屋内に、預かり品と、前記預かり品の前記建屋内への入出庫状況を管理する第一のコンピュータと、入庫した前記預かり品を出庫するまでの該預かり品の保管状況を管理する第二のコンピュータと、入庫した前記預かり品を出庫するまでの該預かり品に対する保険の適用状況を管理する第三のコンピュータとを備えたことを特徴とする屋内収納品の預かりシステム。
【手続補正２】
【補正対象書類名】明細書
【補正対象項目名】０００７
【補正方法】変更
【補正の内容】
【０００７】
本発明は、居住可能な建屋における屋内収納品の預かりシステムであって、前記建屋外からエアフィルタを介して吸引された空気を該建屋内に供給する給気システムと、前記供給された空気を前記建屋外に排出する排気システムと、少なくとも前記排気システムに介装されえて前記空気の逆流時に順流時よりもライン抵抗を大きくするボルテックスダイオードとを備えるとともに、前記建屋内に、預かり品と、前記預かり品の前記建屋内への入出庫状況を管理する第一のコンピュータと、入庫した前記預かり品を出庫するまでの該預かり品の保管状況を管理する第二のコンピュータと、入庫した前記預かり品を出庫するまでの該預かり品に対する保険の適用状況を管理する第三のコンピュータとを備えたことを特徴とするものである。
【手続補正３】
【補正対象書類名】明細書
【補正対象項目名】０００８
【補正方法】変更
【補正の内容】
【０００８】
本発明によれば、居住可能な建屋における屋内収納品の預かりシステムであって、前記建屋外からエアフィルタを介して吸引された空気を該建屋内に供給する給気システムと、前記供給された空気を前記建屋外に排出する排気システムと、少なくとも前記排気システムに介装されえて前記空気の逆流時に順流時よりもライン抵抗を大きくするボルテックスダイオードとを備えるから、とかく衛生上の問題や、汚れや害虫やカビ発生の問題がある屋外放置などを除外している。
【手続補正４】
【補正対象書類名】明細書
【補正対象項目名】０００９
【補正方法】変更
【補正の内容】
【０００９】
また、前記建屋内に、預かり品と、前記預かり品の前記建屋内への入出庫状況を管理する第一のコンピュータと、入庫した前記預かり品を出庫するまでの該預かり品の保管状況を管理する第二のコンピュータと、入庫した前記預かり品を出庫するまでの該預かり品に対する保険の適用状況を管理する第三のコンピュータとを備えたので、預かり品の入出庫管理や在庫管理などが確実に行えるとともに、その預かり品の損壊や紛失などにも対応できる。
【手続補正５】
【補正対象書類名】明細書
【補正対象項目名】００１８
【補正方法】変更
【補正の内容】
【００１８】
本発明によれば、居住可能な建屋における屋内収納品の預かりシステムであって、前記建屋外からエアフィルタを介して吸引された空気を該建屋内に供給する給気システムと、前記供給された空気を前記建屋外に排出する排気システムと、少なくとも前記排気システムに介装されえて前記空気の逆流時に順流時よりもライン抵抗を大きくするボルテックスダイオードとを備えるから、とかく衛生上の問題や、汚れや害虫やカビ発生の問題がある屋外放置などを除外している。
【手続補正６】
【補正対象書類名】明細書
【補正対象項目名】００１９
【補正方法】変更
【補正の内容】
【００１９】
また、前記建屋内に、預かり品と、前記預かり品の前記建屋内への入出庫状況を管理する第一のコンピュータと、入庫した前記預かり品を出庫するまでの該預かり品の保管状況を管理する第二のコンピュータと、入庫した前記預かり品を出庫するまでの該預かり品に対する保険の適用状況を管理する第三のコンピュータとを備えたので、預かり品の入出庫管理や在庫管理などが確実に行えるとともに、その預かり品の損壊や紛失などにも対応できる。